(57)【要約】【課題】  動画と静止画とを記録する場合に、発光部の移動に伴って発生する不要な音が記録されないようにする。【解決手段】  記録待機状態において、動画と音声とを繰り返しメモリに記憶し、静止画の記録指示に応じて、静止画を撮影して記録するとともに、静止画の記録指示の直前の所定時間分の動画と音声とを記録する所定の記録モードを設定する手段と、所定の記録モードが設定された場合に、発光部を発光が禁止される第１の位置から発光が可能な第２の位置に移動し、発光部が第２の位置に移動された後で、メモリへの動画と音声の記憶を開始させる制御手段とを備える。【選択図】  図１
2016219863.tif 000002
【特許請求の範囲】
【請求項１】
撮像手段と、
音声信号を取得する音声入力手段と、
発光部と、
前記発光部を、発光が禁止される第１の位置から発光が可能となる第２の位置に移動させる移動手段と、
メモリと、
前記撮像手段により取得された静止画信号、前記撮像手段により取得された動画信号、及び、前記音声入力手段により取得された音声信号を記録媒体に記録する記録手段と、
記録待機状態において、前記撮像手段により取得された動画信号と、前記音声入力手段により取得された音声信号とを、繰り返し前記メモリに記憶し、静止画の記録指示に応じて、前記撮像手段により取得された静止画信号を前記記録手段により記録するとともに、前記静止画の記録指示の直前の所定時間分の前記動画信号と前記音声信号とを前記メモリから読みだして前記記録手段により記録する所定の記録モードを設定する手段と、
前記所定の記録モードが設定された場合に、前記発光部を前記第２の位置に移動するように前記移動手段を制御し、前記移動手段により前記発光部が前記第２の位置に移動された後で、前記メモリへの前記動画信号と前記音声信号の記憶を開始させる制御手段とを備える撮像装置。
【請求項２】
静止画の記録指示に応じて前記撮像手段により取得された静止画信号を記録する静止画の記録モードにおいて、前記静止画の記録指示に応じて前記発光部を発光させるか、或いは、前記発光部の発光を禁止するかをユーザの指示により設定する手段を備え、
前記制御手段は、前記発光部の発光を禁止するように設定された場合でも、前記所定の記録モードが設定された場合に、前記発光部を前記第２の位置に移動するように前記移動手段を制御し、前記移動手段により前記発光部が前記第２の位置に移動された後で、前記メモリへの前記動画信号と前記音声信号の記憶を開始させることを特徴とする請求項１に記載の撮像装置。
【請求項３】
静止画の記録指示に応じて前記撮像手段により取得された静止画信号を記録する静止画の記録モードにおいて、前記静止画の記録指示に応じて前記発光部を発光させるか、或いは、前記発光部の発光を禁止するかをユーザの指示により設定する手段を備え、
前記制御手段は、前記所定の記録モードに設定するための指示があったときに、前記発光部の発光を禁止するように設定された場合には、前記移動手段により前記発光部を前記第１の位置に移動することなく、前記メモリへの前記動画信号と前記音声信号の記憶を開始させ、前記メモリへの前記動画信号と前記音声信号の記憶を開始した後に、前記発光部を発光させるように設定されたことに応じて、前記発光部を前記第１の位置に移動するように前記移動手段を制御するとともに、前記メモリに記憶された動画信号と音声信号とを破棄し、前記移動手段により前記発光部が前記第１の位置に移動された後で、再び、前記メモリへの前記動画信号と前記音声信号の記憶を開始させることを特徴とする請求項１に記載の撮像装置。
【請求項４】
前記制御手段は、前記所定の記録モードの終了が指示されるまで、前記移動手段により前記発光部が前記第１の位置に移動されないように制御することを特徴とする請求項１に記載の撮像装置。
【請求項５】
前記制御手段は、前記移動手段により前記発光部が前記第２の位置に移動された後で、前記発光部が前記第２の位置から前記第１の位置に移動したことを検出した場合、前記メモリに記憶された動画信号と音声信号とを破棄し、再び、前記メモリへの前記動画信号と前記音声信号の記憶を開始させることを特徴とする請求項１に記載の撮像装置。
【発明の詳細な説明】
【技術分野】
【０００１】
本発明は撮像装置に関する。
【背景技術】
【０００２】
従来、動画の記録中に静止画を記録する機能を持つ撮像装置が知られている（例えば、特許文献１参照）。また、撮影時の露出が足りないと判断した場合に、自動的にストロボを発光するカメラも提案されている。この種の撮像装置では、ストロボを使用しないときには本体の所定の位置にストロボ発光部を格納しておき、ストロボを使用する場合には、発光部を発光させるための位置まで移動させる構成を持つものがある。
【先行技術文献】
【特許文献】
【０００３】
【特許文献１】特開２００４−６４４６７号公報
【発明の概要】
【発明が解決しようとする課題】
【０００４】
ストロボ発光部を移動させるためには、機械的な機構が使用されるため、移動に伴う音が発生する。そのため、動画と共に静止画を記録する場合に、静止画の撮影指示に伴ってストロボ発光部が移動されると、動画と共に記録されている音声に、ストロボ発光部の移動に伴う不要な音が混入してしまうという問題があった。
【０００５】
本発明はこのような問題を解決し、動画と静止画とを記録する場合に、発光部の移動に伴って発生する不要な音が記録されないようにすることを目的とする。
【課題を解決するための手段】
【０００６】
本発明は、撮像手段と、音声信号を取得する音声入力手段と、発光部と、前記発光部を、発光が禁止される第１の位置から発光が可能となる第２の位置に移動させる移動手段と、メモリと、前記撮像手段により取得された静止画信号、前記撮像手段により取得された動画信号、及び、前記音声入力手段により取得された音声信号を記録媒体に記録する記録手段と、記録待機状態において、前記撮像手段により取得された動画信号と、前記音声入力手段により取得された音声信号とを、繰り返し前記メモリに記憶し、静止画の記録指示に応じて、前記撮像手段により取得された静止画信号を前記記録手段により記録するとともに、前記静止画の記録指示の直前の所定時間分の前記動画信号と前記音声信号とを前記メモリから読みだして前記記録手段により記録する所定の記録モードを設定する手段と、前記所定の記録モードが設定された場合に、前記発光部を前記第２の位置に移動するように前記移動手段を制御し、前記移動手段により前記発光部が前記第２の位置に移動された後で、前記メモリへの前記動画信号と前記音声信号の記憶を開始させる制御手段とを備える。
【発明の効果】
【０００７】
本発明によれば、動画と静止画とを記録する場合に、発光部の移動に伴って発生する不要な音が記録されないようにすることが可能となる。
【図面の簡単な説明】
【０００８】
【図１】撮像装置の構成を示す図である。
【図２】撮像装置の記録時の処理を示すフローチャートである。
【図３】撮像装置の発光部の状態と表示される情報を示す図である。
【図４】撮像装置の記録時の処理を示すフローチャートである。
【図５】撮像装置の記録時の処理を示すフローチャートである。
【発明を実施するための形態】
【０００９】
（第１の実施形態）
図１は、本発明の実施形態としての撮像装置１００の構成を示すブロック図である。図１において、撮像部１１０は、レンズ、絞り、撮像素子等を有し、被写体の光学像ＣＭＯＳセンサ等の撮像素子により画像信号に変換し、デジタル信号に変換して出力する。本実施形態では、撮像部１０１は、１画面が横３８４０画素×縦２１６０画素、６０フレーム枚秒（ｆｐｓ）の動画信号及び、横３８４０画素×縦２１６０画素の静止画信号を取得することが可能である。
【００１０】
画像処理部１０２は、記録待機時、及び、記録時においては、撮像部１０１からの動画信号や静止画信号に対し、ホワイトバランスや色、明るさなどを調整する所定の信号処理を行う。また、画像処理部１０２は、記録時においては、動画信号や静止画信号を公知の符号化方式により符号化し、情報量を圧縮する処理を行う。また、画像処理部１０２は、再生時においては、再生された動画信号や静止画信号を伸張する処理を行う。
【００１１】
音声入力部１０４は、マイクまたは音声入力端子を介して接続された外部マイク等により、撮像装置１００の周囲の音声を集音（収音）し、アナログデジタル変換をして音声処理部１０３に出力する。音声処理部１０３は、入力されたデジタル音声信号のレベルの適正化処理等の音声に関する処理を行い、メモリ１１３に出力する。
【００１２】
表示制御部１０５は、撮像部１０１により得られた画像、或いは、再生された画像や、各種の情報を表示部１０８に表示させる。表示部１０８は、例えば、液晶ディスプレイ、有機ＥＬディスプレイ、電子ペーパー等の表示デバイスである。
【００１３】
記録再生部１０７は、動画信号や音声信号、或いは、静止画信号、その他の必要な情報を記録媒体１０８に対して記録し、また、記録媒体１０８から再生する。記録媒体１０８は、メモリカード等のランダムアクセスの記録媒体である。記録再生部１０７は、記録媒体１０８に記録する動画信号や音声信号、或いは静止画信号などを所定のファイルシステムに従ってファイルとして管理する。
【００１４】
発光部１０９は、制御部１１１からの指示に応じて発光するストロボを備える。駆動部１１０は、発光部１１０を移動させるための機構を備え、発光部１０９の位置を、発光が禁止される位置（第１の位置）と、発光が可能な位置（第２の位置）とに移動させる。駆動部１１０は、発光部１０９の発光が可能となるように、発光部１０９の位置を撮像装置１００から遠ざけるように移動する。これにより、発光部１６０が発光した際のケラレを防ぐことが出来る。また、発光部１０９の移動により駆動部１１０からの音が発生する。
【００１５】
また、本実施形態では、駆動部１１０は、発光部１０９を移動させるためのモータを備える。そして、駆動部１１０は、制御部１１１からの指示により、発光部１０９の位置を自動的に第１の位置と第２の位置との間で移動させる。
【００１６】
制御部１１１は、ＣＰＵ、メモリ等を有し、各種のプログラムを実行して撮像装置１００の各ブロックを制御したり、各ブロック間でのデータ転送を制御したりする。また、制御部１１１は、ユーザからの操作を受け付ける操作部１１２からの操作信号に応じて、撮像装置１００の各ブロックを制御する。また、制御部１０１は、画像処理部１０２によって得られた画像を解析し、その解析結果に応じて、撮像装置１００の各ブロックを制御する。
【００１７】
操作部１１２は、電源ボタン、モード変更スイッチ、静止画記録ボタン、動画記録開始ボタン、ストロボ発光モード設定ボタンなどの撮影に関連する各種操作を入力するスイッチ等を含む。また、操作部１１２は、メニュー表示ボタン、決定ボタン、その他カーソルキー、ポインティングデバイス、タッチパネル等を備え、ユーザによりこれらのキーやボタンが操作されると制御部１１１に操作信号を送信する。
【００１８】
メモリ１１３はＤＲＡＭ等の揮発性メモリである。メモリ１１３は、画像処理部１０２により処理された動画信号や静止画信号、音声処理部１０３により処理された音声信号などを記憶する。また、メモリ１１３は制御部１１１により処理のためのワーク領域としても使用される。出力部１１４は、動画信号や静止画信号、或いは音声信号などを、外部の表示装置などに出力する。バス１１５は、撮像装置１００の各部の間で各種の信号やコマンド等を送受信する。
【００１９】
次に、撮像装置１００による静止画記録時の処理を説明する。操作部１１２により撮像装置１００の電源がオンになると、制御部１１１は各部を制御して、記録待機状態に設定する。記録待機状態において、制御部１０１は、撮像部１０１により動画信号を取得させ、取得された動画信号を表示部１０６に表示させる。ユーザはこの様にして表示された画面を見ながら撮影の準備を行う。
【００２０】
記録待機状態において、ユーザは操作部１１２を操作することにより、撮像装置１００による静止画の撮影モードや、ストロボの発光モードを設定することができる。例えば、静止画の撮影モードとして、全自動モードと、通常モードを持つ。全自動モードにおいては、制御部１１１が撮影される静止画の露出状態を検出する。そして、制御部１１１は、明るさが不足しており、適切な露出が得られないと判断した場合、発光部１０９を自動的に発光させる。また、制御部１１１は、発光が禁止される位置にあった場合には、駆動部１１０を自動的に制御して、発光が可能な位置に発光部１０９を移動させ、発光させる。
【００２１】
また、通常モードにおいては、ユーザは、発光部１０９を発光させるか（常時発光）、或いは、発光させないか（発光禁止）を設定することができる。ユーザにより強制発光が設定された場合、制御部１１１は、駆動部１１０を制御して、発光部１０９を、発光が可能な位置に移動させる。また、ユーザにより発光禁止が設定された場合、制御部１１１は、駆動部１１０を制御して、発光部１０９を、発光が禁止される位置に移動させる。また、通常モードでは、ユーザにより発光禁止が設定されている場合には、制御部１１１は、適切な露出が得られないと判断した場合であっても発光部１０９を発光可能な位置に移動させることはない。
【００２２】
記録待機状態において、操作部１１２より静止画記録の指示が入力された場合、制御部１１１は、撮像部１０１を制御して、１画面の静止画信号を取得させる。撮像部１０１は、制御部１１１からの指示に応じて１画面の静止画信号を生成し、メモリ１１３に記憶する。画像処理部１０２は、メモリ１１３から静止画信号を読みだして必要な処理を施すと共に、ＪＰＥＧ等の圧縮処理を施してメモリ１１３に記憶する。記録再生部１０５は、メモリ１１３より静止画信号を読み出し、静止画ファイルとして記録媒体１０８に記録する。
【００２３】
また、制御部１１１は、全自動モードにおいては、静止画記録の指示があった場合に撮影される静止画の露出状態に応じて発光部１０９の発光を制御する。また、通常モードにおいては、ユーザにより強制発光が設定されていた場合には、撮像部１１０における静止画の取り込みのタイミングと連動して発光部１０９を発光させる。なお、発光量を制御する場合は、予備撮影として発光部１０９を発光させるとともに撮像部１０１により静止画を取り込む。そして、発光量を計算した上で、撮像部１０１における静止画の取り込みのタイミングと連動してストロボ発光部１０９を発光させる。
【００２４】
次に、動画記録時の処理を説明する。記録待機状態において、操作部１１２より動画記録開始の指示が入力されると、制御部１１１は各部を制御して動画の記録を開始させる。撮像部１０１は、動画信号を取得してメモリ１１３に記憶する。画像処理部１０２は、メモリ１１３より動画信号を読み出し、必要な処理を施すと共に、Ｈ．２６４等の公知の符号化処理により圧縮し、メモリ１１３に記憶する。また、音声処理部１０３は、音声入力部１０４からの音声信号を処理してメモリ１１３に記憶する。
【００２５】
記録再生部１０７は、メモリ１１３より圧縮された動画信号と音声信号とを読みだして、一つの動画ファイルとして記録媒体１０８に記録する。このように動画と音声の記録が開始された後、制御部１１１は、記録停止の指示があるまで記録を続ける。操作部１１２より動画の記録停止の指示があると、制御部１１１は、画像処理部１０２による動画信号の符号化を停止して、記録媒体１０８への記録を停止する。
【００２６】
次に、ダイジェストモードについて説明する。ユーザは操作部１１２を操作することにより、ダイジェストモードを設定することができる。ダイジェストモードにおいては、静止画の記録指示に応じて、動画と共に静止画が記録される。ダイジェストモードでは、静止画記録の指示の直前に撮影された所定時間分の動画と音声が、静止画指示に応じて記録される。本実施形態では、例えば、静止画の記録指示の直前に取得された４秒分の動画と音声が記録される。また、ダイジェストモードにおいては、記録媒体１０８に対して既に記録されている、ダイジェストモードで記録された動画ファイルに対して、所定時間の動画と音声が追加される。
【００２７】
従って、ダイジェストモードにより記録されたファイルを再生することにより、ユーザは、簡単に、静止画撮影の直前の様子を集めた動画を見ることができる。また、ユーザは、ダイジェストモードにおける静止画の記録待機状態において、ストロボを発光するか否かを設定することができる。
【００２８】
図２は、ダイジェストモードにおける撮像装置１００の処理を示すフローチャートである。図２の処理は、制御部１１１が各部を制御することにより実行される。ダイジェストモードが設定されると、制御部１１１は、駆動部１１０を制御し、発光部１０９を、発光が可能な位置に移動させる（Ｓ２０１）。このとき、静止画の撮影モードとして前述の全自動モードが設定されていた場合であっても、制御部１１１は、発光部１０９を、発光が可能な位置に移動させる。また、通常の撮影モードにおいて、ストロボ発光を行わない設定（発光禁止）となっていた場合であっても、制御部１１１は、発光部１０９を、発光が可能な位置に移動させる。
【００２９】
発光部１０９を移動させた後、制御部１１１は、これ以降、ダイジェストモードが終了するまで発光部１０９の移動を禁止する（Ｓ２０２）。前述のように、ユーザはストロボの発光モードを変更することが可能である。しかし、ダイジェストモードが設定されている状態では、これ以降は、ストロボの発光モードが変更された場合でも、発光部１０９は移動されない。そのため、駆動部１１０による発光部１０９の移動に伴う不要な音が発生しない。
【００３０】
次に、制御部１１１は、各部を制御して、撮像部１０１により取得された動画信号の符号化と、メモリ１１３に対する符号化された動画信号の記憶を開始する。また、音声処理部１０３による音声信号の処理を開始するとともに、メモリ１１３への音声信号の記憶を開始する（Ｓ２０３）。
【００３１】
メモリ１１３は、ダイジェストモードにおける動画信号と音声信号の記憶領域が設けられる。この記憶領域は、所定時間分（４秒分）の圧縮された動画信号と音声信号を記憶可能な容量を持つ。そして、ダイジェストモード用の記憶領域が一杯になると、最も古いデータから順次上書きされて新たに動画信号と音声信号が記憶される。このように、ダイジェストモードにおいては、静止画の記録待機状態において、動画信号と音声信号が繰り返しメモリ１１３に記憶されることにより、直前の所定時間分の動画と音声とがメモリ１１３に記憶される。
【００３２】
次に、制御部１１１は、操作部１１２より静止画の記録指示が入力されたか否かを判別する（Ｓ２０４）。静止画の記録指示がない場合、制御部１１１は、ダイジェストモードの終了指示が入力されたか否かを判別する（Ｓ２１１）。ダイジェストモードの終了指示が無い場合はＳ２０４に戻る。また、ダイジェストモードの終了指示があった場合、制御部１１１は、動画の符号化とメモリ１１３への記憶を停止し（Ｓ２１２）、駆動部１１０を制御して、発光部１０９を発光が禁止される位置に移動させる（Ｓ２１３）。
【００３３】
また、Ｓ２０４で静止画の記録指示が入力された場合、制御部１１１は、ストロボの発光モードに従い、発光部１０９を発光させるか否かを判別する（Ｓ２０５）。ストロボを発光させる設定の場合、制御部１１１は、撮像部１０１を制御して１画面の静止画信号を取得させると共に、静止画の取得タイミングにあわせて発光部１０９を発光させる。そして、取得された静止画信号を記録媒体１０８に記録させる（Ｓ２０６）。また、ストロボを発光させない設定の場合、制御部１１１は、発光部１０９を発光させずに撮像部１０１を制御して１画面の静止画信号を取得させ、記録する（Ｓ２０７）。
【００３４】
次に、制御部１１１は、動画の符号化及びメモリ１１３への記憶と、音声信号のメモリ１１３への記憶を停止する（Ｓ２０８）。そして、メモリ１１３に記憶された動画信号と音声信号のうち、静止画の記録指示の直前の所定時間分の動画信号と音声信号とを記録媒体１０８に記録する（Ｓ２０９）。このとき、前述のように、記録媒体１０８に記録済みの、ダイジェストモードで記録された動画ファイルに対し、新たに記録した所定時間分の動画信号と音声信号とを追加する。
【００３５】
動画と音声の記録が完了すると、制御部１１１は、再び、動画の符号化とメモリ１１３への記憶、及び、音声信号のメモリ１１３への記憶を開始する（Ｓ２１０）。そして、制御部１１１は、ダイジェストモードの終了指示が入力されたか否かを判別する（Ｓ２１１）。ダイジェストモードの終了指示が無い場合はＳ２０４に戻る。また、ダイジェストモードの終了指示があった場合、制御部１１１は、動画の符号化とメモリ１１３への記憶を停止し（Ｓ２１２）、駆動部１１０を制御して、発光部１０９を発光が禁止される位置に移動させる（Ｓ２１３）。
【００３６】
図３は、ダイジェストモードにおける、撮像装置１００の発光部１０９の移動と表示される情報を示す図である。図３において、３０１はダイジェストモードが設定される前の、記録待機状態における撮像装置１００を示している。３０１において、ストロボの発光が禁止されるように設定されており、表示部１０６にはストロボ発光禁止を示す情報３０２が表示される。また、発光部１０９は、発光が禁止される位置に配置される。
【００３７】
この状態でダイジェストモードが設定されると、３０３に示すように、駆動部１１０により、発光部１０９は、発光が可能な位置に移動する。そして、動画の撮影、符号化及び音声の取得が開始され、メモリ１１３に対して繰り返し記憶される。
【００３８】
また、ダイジェストモードが設定された後、ユーザはストロボの発光モードを変更することができる。３０３の状態から、ストロボの発光モードを発光させる設定に変更した場合、ストロボの発光モードが常時発光に変更され、これに伴い、３０５に示すように、常時発光を示す情報３０７が表示部１０６に表示される。また、３０５の状態から、ストロボの発光モードが発光禁止に変更されると、ストロボの発光モードが発光禁止に変更される。これに伴い、３０４に示すように、発光禁止を示す情報が表示部１０６に表示されるが、発光部１０９は移動されない。
【００３９】
そして、静止画の記録指示があった場合、前述のように静止画信号が記録されると共に、直前の所定時間分の動画と音声が記録される。なお、このとき、３０６に示すように、表示部１０６には、静止画記録指示に対応して取得された静止画像が所定時間表示される。
【００４０】
このように、本実施形態では、ダイジェストモードが設定されたことに応じて、発光部を、発光が可能な位置に移動させた後、動画と音声の取得、及びメモリへの記憶を開始する。そのため、動画と音声の取得を開始した後で、発光可能となる位置に発光部が移動されることがなく、発光部の移動により発生する不要な音が、記録される音声に多重されることを防ぐことができる。
【００４１】
なお、本実施形態では、静止画の撮影モードにかかわらず、ダイジェストモードが設定された場合には発光部１０９を移動させていた。これに限らず、例えば、静止画の撮影モードが全自動モードに設定されていた場合には、ダイジェストモードが設定されたときの明るさを判別し、適切な露出が得られない場合には発光部１０９を移動させるようにしてもよい。
【００４２】
即ち、この場合には、制御部１１１が、ダイジェストモードが設定された時点で撮像部１０１により得られた画像を解析し、適切な露出が得られるか判別する。そして、撮像装置１００の周囲の明るさが不足しており、適切な露出が得られないと判断した場合には駆動部１１０により発光部１０９を発光可能な位置に移動させる。また、静止画の記録モードとして通常の記録モードが設定されていた場合には、ストロボの発光モードにかかわらず、発光部１０９を発光可能な位置に移動させる。
【００４３】
（第２の実施形態）
次に、第２の実施形態を説明する。第２の実施形態では、ダイジェストモードが設定されたときに、ストロボの発光モードが、発光を禁止する設定となっている場合には発光部１０９を移動させない。その後、記録待機状態において、ストロボを発光させる設定に変更された場合に、発光部１０９を移動させる。本実施形態においても撮像装置１００の構成及び基本的な処理は第１の実施形態と同じである。
【００４４】
図４は第２の実施形態における、ダイジェストモード時の処理を示すフローチャートである。図４の処理は、制御部１１１が各部を制御することにより実行される。ダイジェストモードが設定されると、制御部１１１は、ストロボの発光モードが、発光を禁止する設定となっているか否かを判別する（Ｓ４０１）。ここで、静止画の記録モードが全自動モードである場合は、発光を禁止する設定とはなっていないものと判別する。
【００４５】
ストロボの発光を禁止する設定となっている場合、制御部１１１は、各部を制御して、撮像部１０１により取得された動画信号の符号化と、メモリ１１３に対する符号化された動画信号の記憶を開始する。また、音声処理部１０３による音声信号の処理を開始するとともに、メモリ１１３への音声信号の記憶を開始する（Ｓ４０２）。次に、制御部１１１は、ストロボの発光モードの変更が指示されたか否かを判別する（Ｓ４０３）。
【００４６】
発光モードの変更指示がない場合、制御部１１１は、操作部１１２より静止画の記録指示が入力されたか否かを判別する（Ｓ４０４）。静止画の記録指示がない場合、制御部１１１は、ダイジェストモードの終了指示が入力されたか否かを判別する（Ｓ４０９）。ダイジェストモードの終了指示が無い場合はＳ４０３に戻る。また、ダイジェストモードの終了指示があった場合、制御部１１１は、動画の符号化とメモリ１１３への記憶を停止して終了する（Ｓ４１０）。
【００４７】
また、Ｓ４０４で静止画の記録指示が入力された場合、制御部１１１は、撮像部１０１を制御して１画面の静止画信号を取得させ、記録する（Ｓ４０５）。次に、制御部１１１は、動画の符号化及びメモリ１１３への記憶と、音声信号のメモリ１１３への記憶を停止する（Ｓ４０６）。そして、メモリ１１３に記憶された動画信号と音声信号のうち、静止画の記録指示の直前の所定時間分の動画信号と音声信号とを記録媒体１０８に記録する（Ｓ４０７）。
【００４８】
動画と音声の記録が完了すると、制御部１１１は、再び、動画の符号化とメモリ１１３への記憶、及び、音声信号のメモリ１１３への記憶を開始する（Ｓ４０８）。そして、制御部１１１は、ダイジェストモードの終了指示が入力されたか否かを判別する（Ｓ４０９）。ダイジェストモードの終了指示が無い場合はＳ４０３に戻る。また、ダイジェストモードの終了指示があった場合、制御部１１１は、動画の符号化とメモリ１１３への記憶を停止して終了する（Ｓ４１０）。
【００４９】
また、Ｓ４０３で発光モードが変更された場合、制御部１１１は、その時点でメモリ１１３に記憶済みの動画信号と音声信号とを破棄する（Ｓ４１１）。そして、動画信号の符号化と、音声信号の取得及びメモリ１１３への記憶を停止する（Ｓ４１２）。次に、制御部１１１は、駆動部１１０を制御し、発光部１０９を、発光が可能な位置に移動させる（Ｓ４１３）。これ以降、Ｓ４１４〜Ｓ４２５において、図２におけるＳ２０２〜Ｓ２１３と同様の処理を行う。即ち、これ以降は、ストロボの発光モードを変更する指示があっても、発光部１０９の移動を行わない。
【００５０】
なお、Ｓ４１３においては、必ずしもメモリ１１３から記憶済みの動画信号と音声信号を消去する必要はない。即ち、Ｓ４１１においては、Ｓ４１５においてメモリ１１３に対して動画信号と音声信号の記憶を開始する際の記憶アドレスを、ダイジェストモード用の記憶領域の先頭アドレスに設定する。従って、Ｓ４１５においては、メモリ１１３におけるダイジェストモード用の記憶領域の先頭アドレスから、新たに動画信号を音声信号が記憶されるため、それ以前に記憶された動画信号と音声信号が上書きされ、破棄されることになる。
【００５１】
このように、本実施形態では、ダイジェストモードの設定時に、ストロボの発光を禁止する設定となっている場合には、発光部１０９を、発光が可能となる位置に移動させずに、動画と音声の記憶を開始する。その後、ストロボを発光させるように変更された場合には、その時点で記憶済みの動画と音声を破棄し、発光部１０９を、発光可能な位置に移動させた後、新たに動画と音声の記憶を開始する。
【００５２】
そのため、動画と音声の取得を開始した後で、発光可能となる位置に発光部が移動されることがなく、発光部の移動により発生する不要な音が、記録される音声に多重されることを防ぐことができる。
【００５３】
（第３の実施形態）
第１、第２の実施形態では、駆動部１１０はモータを備え、発光部１０９を第１の位置と第２の位置の間で移動させる構成である。しかし、駆動部１１０がモータを備えない構成とすることも可能である。即ち、第１の位置から第２の位置への移動は駆動部１１０による機械的な構成により自動的に行われるが、第２の位置から第１の位置への移動はユーザが自分で発光部１０９を移動させるようにしてもよい。
【００５４】
このような構成とした場合には、制御部１１１は、発光部１０９を、発光が可能な位置に移動させた後、発光が禁止される位置に移動することを禁止することが難しい。そこで、第３の実施形態では、発光部１０９を、発光が可能な位置に移動させた後、ユーザにより発光部が発光できない位置に再び移動された場合、その時点で記憶済みの動画と音声を破棄した後、新たに動画と音声の記憶を開始する。本実施形態においても撮像装置１００の構成及び基本的な処理は第１の実施形態と同じである。
【００５５】
図５は第２の実施形態における、ダイジェストモード時の処理を示すフローチャートである。図５の処理は、制御部１１１が各部を制御することにより実行される。ダイジェストモードが設定されると、制御部１１１は、ストロボの発光モードが、発光を禁止する設定となっているか否かを判別する（Ｓ５０１）。ここで、静止画の記録モードが全自動モードである場合は、発光を禁止する設定とはなっていないものと判別する。
【００５６】
ストロボの発光を禁止する設定となっている場合、制御部１１１は、各部を制御して、撮像部１０１により取得された動画信号の符号化を開始する。更に、メモリ１１３に対する、符号化された動画信号と音声信号の記憶を開始する（Ｓ５０２）。これ以降、Ｓ５０３〜Ｓ５１２においては、図４のＳ４０３〜Ｓ４１２と同様の処理が行われる。
【００５７】
Ｓ５０１において、ストロボを発光させる設定となっている場合、制御部１１１は、駆動部１１０により、発光部１０９を、発光が可能となる位置に移動させる（Ｓ５１４）。そして、制御部１１１は、発光部１０９の移動が完了した後、各部を制御して、撮像部１０１により取得された動画信号の符号化を開始する。更に、メモリ１１３に対する、符号化された動画信号と音声信号の記憶を開始する（Ｓ５１４）。
【００５８】
次に、制御部１１１は、ユーザにより、発光部１０９が、発光が禁止される位置に移動されたか否かを判別する（Ｓ５１５）。発光が禁止される位置に発光部１０９が移動された場合、制御部１１１は、発光部１０９による発光を禁止し（Ｓ５２３）、その時点でメモリ１１３に記憶された動画信号と音声信号を破棄する（Ｓ５２４）。そして、Ｓ５０１に戻り処理を続ける。この時点ではストロボの発光が禁止されているため、Ｓ５０２に進み、新たに動画と音声の記憶が開始される。
【００５９】
また、Ｓ５１５で、発光部１０９の移動が検出されない場合、制御部１１１は、操作部１１２より静止画の記録指示が入力されたか否かを判別する（Ｓ５１５）。静止画の記録指示がない場合、制御部１１１は、ダイジェストモードの終了指示が入力されたか否かを判別する（Ｓ５２１）。ダイジェストモードの終了指示が無い場合はＳ５１５に戻る。また、ダイジェストモードの終了指示があった場合、制御部１１１は、動画の符号化とメモリ１１３への記憶を停止して終了する（Ｓ５２２）。
【００６０】
また、Ｓ５１６で静止画の記録指示が入力された場合、制御部１１１は、撮像部１０１を制御して１画面の静止画信号を取得させ、記録する（Ｓ５１７）。このとき、ストロボを発光させる設定となっている場合には、静止画の取得タイミングに応じて発光部１０９が発光される。ユーザは、発光が可能となる位置に発光部１０９が設定されている場合でも、発光を禁止するように設定することができる。次に、制御部１１１は、動画の符号化及びメモリ１１３への記憶と、音声信号のメモリ１１３への記憶を停止する（Ｓ５１８）。そして、メモリ１１３に記憶された動画信号と音声信号のうち、静止画の記録指示の直前の所定時間分の動画信号と音声信号とを記録媒体１０８に記録する（Ｓ５１９）。
【００６１】
動画と音声の記録が完了すると、制御部１１１は、再び、動画の符号化とメモリ１１３への記憶、及び、音声信号のメモリ１１３への記憶を開始する（Ｓ５２０）。そして、制御部１１１は、ダイジェストモードの終了指示が入力されたか否かを判別する（Ｓ５２１）。ダイジェストモードの終了指示が無い場合はＳ４０３に戻る。また、ダイジェストモードの終了指示があった場合、制御部１１１は、動画の符号化とメモリ１１３への記憶を停止して終了する（Ｓ５２２）。
【００６２】
このように、本実施形態では、ダイジェストモードの設定時に、ストロボの発光を禁止する設定となっている場合には、発光部１０９を、発光が可能となる位置に移動させずに、動画と音声の記憶を開始する。その後、ストロボを発光させるように変更された場合には、その時点で記憶済みの動画と音声を破棄し、発光部１０９を、発光可能な位置に移動させた後、新たに動画と音声の記憶を開始する。
【００６３】
そのため、動画と音声の取得を開始した後で、発光可能となる位置に発光部が移動されることがなく、発光部の移動により発生する不要な音が、記録される音声に多重されることを防ぐことができる。
【００６４】
また、本実施形態では、第１の位置から第２の位置への移動は駆動部１１０による機械的な構成により自動的に行われるが、第２の位置から第１の位置への移動はユーザが自分で発光部１０９を移動させる構成とする。そして、発光部１０９を、発光が可能な位置に移動させた後、ユーザにより発光部が再度発光できない位置に移動された場合にも、その時点で記憶済みの動画と音声を破棄した後、新たに動画と音声の記憶を開始する。
【００６５】
そのため、動画と音声の取得を開始した後で、発光できない位置に発光部が移動された場合にも、発光部の移動により発生する不要な音が、記録される音声に多重されることを防ぐことができる。
【図１】
2016219863.tif 000003
【図２】
2016219863.tif 000004
【図３】
2016219863.tif 000005
【図４】
2016219863.tif 000006
【図５】
2016219863.tif 000007